(57)【要約】【課題】持ち運び先にＡＣコンセントを必要とせず、どこでもネットワークの構築を可能とする。【解決手段】ポータブルサーバ１のバッテリ１ａは、筐体内に搭載され、無線通信手段１ｂ、記憶手段１ｃ、内部回路に電源を供給する。無線通信手段１ｂは、無線通信によって、端末装置２ａ，２ｂとデータの送受信を行う。記憶手段１ｃは、無線通信手段１ｂによって受信されたデータを記憶する。また、端末装置２ａ，２ｂに送信するデータを記憶している。このように、バッテリ１ａを搭載して、無線通信手段１ｂ、記憶手段１ｃ、内部回路に電源を供給するようにし、端末装置２ａ、２ｂと無線通信によるデータの送受信を行うようにしたので、ＡＣコンセントからの電源供給が不要となり、持ち運び先に制約されることなく、どこでもネットワークを構築することができる。【選択図】        図１
2004206340.tif 000002
【特許請求の範囲】
【請求項１】
複数の端末装置とデータの送受信を行うポータブルサーバにおいて、
内部回路に電源を供給する筐体内に搭載されたバッテリと、
前記バッテリから前記電源を供給され、前記データを無線通信によって送受信する無線通信手段と、
前記バッテリから前記電源を供給され、前記データを記憶する記憶手段と、
を有することを特徴とするポータブルサーバ。
【請求項２】
電源投入時に入力されるパスワードと、予め記憶されているパスワードとを比較し、一致した場合のみ前記データの送受信を可能とする認証手段を有することを特徴とする請求項１記載のポータブルサーバ。
【請求項３】
前記バッテリの電圧が所定の電圧に低下すると、前記内部回路の状態を前記記憶手段に記憶し、前記電源の供給を遮断する電源遮断手段を有することを特徴とする請求項１記載のポータブルサーバ。
【請求項４】
外部から供給される外部電源を前記内部回路に供給し、かつ前記バッテリを充電する充電手段を有することを特徴とする請求項１記載のポータブルサーバ。
【請求項５】
前記充電手段は、前記外部電源の供給が遮断された場合、前記バッテリの電源を前記内部回路に供給することを特徴とする請求項４記載のポータブルサーバ。
【請求項６】
有線ネットワークを介し前記データの送受信を行う有線送受信手段を有することを特徴とする請求項１記載のポータブルサーバ。
【請求項７】
データの送受信を行うポータブルサーバシステムにおいて、
内部回路に電源を供給する筐体内に搭載されたバッテリと、前記バッテリから前記電源を供給され、前記データを無線通信によって送受信する無線通信手段と、前記バッテリから前記電源を供給され、前記データを記憶する記憶手段と、を有するポータブルサーバと、
前記無線通信によって前記ポータブルサーバと前記データの送受信をする端末無線通信手段と、を有する端末装置と、
を有することを特徴とするポータブルサーバシステム。
【請求項８】
データの送受信を行うポータブルサーバにおいて、
内部回路に電源を供給する筐体内に搭載されたバッテリと、
前記バッテリから前記電源を供給され、自ネットワークを構築する端末装置と前記データの無線通信をする第１の無線通信手段と、
前記バッテリから前記電源を供給され、他ネットワークを構築しているバッテリ駆動するポータブルサーバと前記データの無線通信をする第２の無線通信手段と、
前記バッテリから前記電源を供給され、前記データを記憶する記憶手段と、
を有することを特徴とするポータブルサーバ。
【発明の詳細な説明】
【０００１】
【発明の属する技術分野】
本発明はポータブルサーバ及びポータブルサーバシステムに関し、特に複数の端末装置と無線通信によってデータの送受信を行うポータブルサーバ及びポータブルサーバシステムに関する。
【０００２】
【従来の技術】
近年、電子機器間のデータの送受信は、ワイヤレスＬＡＮ（Local Area Network）などの無線通信によって盛んに行われている。例えば、複数の情報処理装置が無線を介して１台のプリンタを共有するワイヤレスプリンタサーバがある（例えば、特許文献１参照）。無線を利用することによって、設置、配線が容易となり、また配線が占めるスペースが低減される。
【０００３】
ところで、ＮＡＳ（Network attacked storage）などのサーバにも無線を利用したものがあるが、このようなワイヤレスサーバは、形状が大きく、持ち運びをして使用できるものではない。
【０００４】
【特許文献１】
特開平５−１４３２５４号公報（第２頁、第２図）
【０００５】
【発明が解決しようとする課題】
そこで、ワイヤレスサーバを持ち運びできるよう小型化し、持ち運び先でネットワークを構築できるようにとしたが、電源をＡＣ（Alternating Current）コンセントから供給されるようにすると、持ち運び先にはＡＣコンセントを必要とし、ネットワークの構築場所が限定されてしまうという問題点があった。
【０００６】
本発明はこのような点に鑑みてなされたものであり、バッテリを搭載して電源を供給するようにし、持ち運び先に制約されることなく、ネットワークを構築できるポータブルサーバ及びポータブルサーバシステムを提供することを目的とする。
【０００７】
【課題を解決するための手段】
本発明では上記課題を解決するために、複数の端末装置とデータの送受信を行うポータブルサーバにおいて、内部回路に電源を供給する筐体内に搭載されたバッテリと、前記バッテリから前記電源を供給され、前記データを無線通信によって送受信する無線通信手段と、前記バッテリから前記電源を供給され、前記データを記憶する記憶手段と、を有することを特徴とするポータブルサーバが提供される。
【０００８】
このようなポータブルサーバによれば、搭載したバッテリによって電源を供給し、端末装置と無線通信のデータの送受信を行うので、持ち運び先が制約されることなく、どこでもネットワークを構築できる。
【０００９】
【発明の実施の形態】
以下、本発明の実施の形態を図面を参照して説明する。
図１は、本発明のポータブルサーバの原理図である。図に示すように、ポータブルサーバ１は、バッテリ１ａ、無線通信手段１ｂ、及び記憶手段１ｃを有している。また、図１には、ポータブルサーバ１と無線通信を行う端末装置２ａ，２ｂが示してある。
【００１０】
バッテリ１ａは、ポータブルサーバ１の筐体内に搭載される。バッテリ１ａは、ポータブルサーバ１を駆動するために、ポータブルサーバ１が具備する内部回路、無線通信手段１ｂ、記憶手段１ｃに電源を供給する。
【００１１】
無線通信手段１ｂは、バッテリ１ａから電源が供給され、無線通信によって端末装置２ａ，２ｂとデータの送受信を行う。
記憶手段１ｃは、バッテリ１ａから電源が供給され、無線通信手段１ｂによって受信されたデータを記憶する。また、記憶手段１ｃは、無線通信手段１ｂによって端末装置２ａ，２ｂに送信されるデータを記憶している。
【００１２】
このように、バッテリ１ａを搭載して、内部回路に電源を供給するようにし、端末装置２ａ、２ｂと無線通信によってデータの送受信を行うようにしたので、外部からの、例えば、ＡＣコンセントからの電源供給が不要となり、持ち運び先に制約されることなく、どこでも端末装置とネットワークを構築することができる。
【００１３】
図２は、ポータブルサーバの使用例を示した図である。図に示すように、ポータブルサーバ１０は、端末装置３１〜３４と無線通信によるネットワークを構築している。端末装置３１，３２は、ノート型のパーソナルコンピュータである。端末装置３３は、ＰＤＡ（Personal Digital Assistant）である。端末装置３４は、携帯電話である。
【００１４】
ポータブルサーバ１０は、その筐体内にバッテリが搭載されており、その搭載されたバッテリで動作するようになっている。よって、ポータブルサーバ１０は、持ち運び先にＡＣコンセントが不要であり、持ち運び先に制約されることなく、どこでも端末装置３１〜３４と無線通信をすることができる。
【００１５】
ポータブルサーバ１０は、端末装置３１〜３４からの指示によって、送信されてくるデータを記憶し、また、記憶していたデータを端末装置３１〜３４に送信する。これにより、端末装置３１〜３４は、ポータブルサーバ１０を介して、データの共有化を図ることができる。
【００１６】
ポータブルサーバ１０は、電波の到達距離が設定される。端末装置３１〜３４は、ポータブルサーバ１０との間の距離が、電波の到達距離内に存在する場合にのみ、データの送受信が可能である。これにより、電波の到達距離外に存在する、第三者のポータブルサーバ１０への不正アクセスを防止することができる。
【００１７】
また、ポータブルサーバ１０は、有線ネットワークにも接続でき、その有線ネットワークに接続されている端末装置とも通信可能である。図３は、ポータブルサーバを有線ネットワークに接続した他の使用例である。図３に示すように、ポータブルサーバ１０が装着されるクレイドル４０が、有線ネットワークであるＬＡＮ５０に接続されている。ＬＡＮ５０には、デスクトップ型のパーソナルコンピュータである端末装置３５、ノート型のパーソナルコンピュータである端末装置３６が接続されている。端末装置３５，３６は、無線機能を有しておらず、ＬＡＮ５０を介してのみ、データの送受信が可能な端末装置である。ポータブルサーバ１０は、クレイドル４０に装着されることにより、ＬＡＮ５０と接続され、端末装置３５，３６とデータの送受信が可能となる。
【００１８】
また、図３には、図２で示したポータブルサーバ１０と無線通信によってデータの送受信を行う端末装置３１〜３４が示してある。先述したように、ポータブルサーバ１０は、限定された距離内において、端末装置３１〜３４とデータの送受信を行うように電波の到達距離が設定されている。
【００１９】
このように、ポータブルサーバ１０は、クレイドル４０に装着されることにより、有線のＬＡＮ５０を介して、無線機能を有さない端末装置３５，３６とデータの送受信が可能である。また、ポータブルサーバ１０は、無線通信によって端末装置３１〜３４とデータの送受信が可能である。よって、無線機能を有する端末装置３１〜３４と無線機能を有さない端末装置３５，３６は、ポータブルサーバ１０を介してデータの送受信が可能となり、データを共有することができる。
【００２０】
図４は、ポータブルサーバとクレイドルの外観を示す正面図であり、（Ａ）はポータブルサーバ、（Ｂ）はクレイドルの正面図である。図４（Ａ）に示すように、ポータブルサーバ１０は、ＬＣＤ（Liquid Crystal Display）１１、キー１２を有している。図４（Ｂ）に示すクレイドル４０は、図３に示したＬＡＮ５０に接続される。
【００２１】
クレイドル４０は、ポータブルサーバ１０が装着されることにより、ポータブルサーバ１０をＬＡＮ５０に接続し、ポータブルサーバ１０と端末装置３５，３６とを通信可能にする。
【００２２】
図５は、ポータブルサーバのブロック構成図である。図に示すように、ポータブルサーバ１０は、ＬＣＤ１１、キー１２、アンテナ１３、ＣＰＵ（Central Processing Unit）１４、ＲＡＭ（Random Access Memory）１５、ＨＤＤ（Hard Disk Drive）１６、グラフィック処理装置１７、入力インターフェース１８、ワイヤレスＬＡＮインターフェース１９、ＬＡＮインターフェース２０、コネクタ２１、電源回路２２、バッテリ２３、及びバス２４を有している。また、図５には、ポータブルサーバ１０に、ＡＣコンセントの交流電源を直流電源として供給するＡＣアダプタ６０が示してある。
【００２３】
ＲＡＭ１５には、ＣＰＵ１４に実行させるＯＳ(Operating System)のプログラムやアプリケーションプログラムの少なくとも一部が一時的に記憶される。また、ＲＡＭ１５には、ＣＰＵ１４による処理に必要な各種データが記憶される。  ＨＤＤ１６には、ＯＳやアプリケーションプログラムなどが記憶される。また、図２，３に示した端末装置３１〜３６が共有するデータが記憶される。
【００２４】
グラフィック処理装置１７には、ＬＣＤ１１が接続されている。グラフィック処理装置１７は、ＣＰＵ１４からの命令に従って、画像をＬＣＤ１１に表示させる。
【００２５】
入力インターフェース１８には、キー１２が接続されている。入力インターフェース１８は、キー１２から送られてくる信号を、バス２４を介してＣＰＵ１４に送信する。
【００２６】
ワイヤレスＬＡＮインターフェース１９には、内蔵されたアンテナ１３が接続されている。ワイヤレスＬＡＮインターフェース１９は、ＣＰＵ１４からの命令に従って、端末装置３１〜３４と無線ＬＡＮによってデータの送受信を行う。また、ワイヤレスＬＡＮインターフェース１９は、ＣＰＵ１４からの命令によって、アンテナ１３に出力する電流を増減し、電波の到達距離を変更する。なお、図２で示した端末装置３１〜３４は、無線ＬＡＮによってデータの送受信を行うための機能を有している。
【００２７】
ＬＡＮインターフェース２０には、コネクタ２１が接続されている。コネクタ２１は、図４で示したクレイドル４０が有するＬＡＮ５０と接続されたコネクタと嵌合する。すなわち、ポータブルサーバ１０がクレイドル４０に装着されると、コネクタ２１は、ＬＡＮ５０と接続される。ＬＡＮインターフェース２０は、ＣＰＵ１４からの命令に従って、ＬＡＮ５０を介し端末装置３５，３６とデータの送受信を行う。
【００２８】
電源回路２２には、ＡＣアダプタ６０が接続される。ＡＣアダプタ６０は、ＡＣコンセントから電圧が供給され、ポータブルサーバ１０が適応する電圧に降圧し、電源回路２２に供給する。電源回路２２は、ＡＣアダプタ６０の電圧をポータブルサーバ１０が動作するために具備する内部回路に供給する。内部回路は、図５に示す各構成要素、及び図５に示してないポータブルサーバ１０が具備するその他の回路、装置等である。また、電源回路２２は、ＡＣアダプタの電圧をバッテリ２３に供給し、常時フル充電状態となるようにする。また、電源回路２２は、ＡＣアダプタ６０が接続されない場合、バッテリ２３の電圧をポータブルサーバ１０の内部回路に供給する。また、電源回路２２は、ＡＣアダプタ６０からの電圧が、例えば、停電、ＡＣアダプタ６０のプラグがＡＣコンセントから抜けたなどにより、遮断された場合、バッテリ２３の電圧をポータブルサーバ１０の内部回路に供給するよう切替える。
【００２９】
バッテリ２３は、ポータブルサーバ１０の筐体内に搭載され、内部回路に電源を供給する。
図６は、電源回路の詳細を示す図である。電源回路２２は、保護回路２２ａ、充電監視回路２２ｂ、整圧降圧回路２２ｃから構成されている。
【００３０】
保護回路２２ａは、ＡＣアダプタ６０の電圧が供給され、充電監視回路２２ｂ、整圧降圧回路２２ｃに出力する。また、保護回路２２ａは、例えば、ＡＣアダプタ６０の誤認使用による、高電圧の入力を遮断して、ポータブルサーバ１０の内部回路を保護する。
【００３１】
充電監視回路２２ｂは、電圧が保護回路２２ａから出力されている場合、その電圧をバッテリ２３に供給して充電する。また、充電監視回路２２ｂは、例えば、ＡＣアダプタ６０が接続されていないなど、保護回路２２ａから電圧が出力されていない場合、バッテリ２３の電圧を整圧降圧回路２２ｃに出力する。
【００３２】
また、充電監視回路２２ｂは、バス２４と接続されている。充電監視回路２２ｂは、ＣＰＵ１４の命令に従って、バッテリ２３の電圧を検出し、その結果をＣＰＵ１４に返す。ＣＰＵ１４は、バッテリ２３の電圧が、所定の電圧に低下した場合（内部回路が誤動作する電圧に低下する前の電圧）、現在の内部回路の状態をＨＤＤ１６に記憶して、充電監視回路２２ｂの整圧降圧回路２２ｃへの電圧の出力を遮断する。
【００３３】
整圧降圧回路２２ｃは、保護回路２２ａ又は充電監視回路２２ｂから出力される電圧を内部回路に出力する。内部回路は、一般に２系統の電源（ＩＣによって５Ｖで動作するもの、３．３Ｖで動作するものがあるため）を必要とし、保護回路２２ａ又は充電監視回路２２ｂが出力する電圧と、その電圧を降圧した２系統の電圧を出力する。
【００３４】
ＣＰＵ１４は、バス２４を介して、ＲＡＭ１５、ＨＤＤ１６、グラフィック処理装置１７、入力インターフェース１８、ワイヤレスＬＡＮインターフェース１９、ＬＡＮインターフェース２０、及び電源回路２２と接続され、装置全体を制御している。
【００３５】
ＣＰＵ１４は、キー１２から設定入力される電波の到達距離に応じて、ワイヤレスＬＡＮインターフェース１９のアンテナ１３に出力する電流の増減を制御して、電波の到達距離を変更する。例えば、キー１２から電波の到達距離を大きくするよう設定入力された場合、ＣＰＵ１４は、ワイヤレスＬＡＮインターフェース１９に、電波の到達距離が大きくなるよう命令する。ワイヤレスＬＡＮインターフェース１９は、ＣＰＵ１４の命令により、アンテナ１３に出力する電流を増加して、電波の到達距離を大きくする。
【００３６】
なお、電波の到達距離の設定入力は、端末装置３１〜３４からも設定可能である。アンテナ１３は、端末装置３１〜３４から、電波の到達距離設定に関するデータを受信する。受信したデータは、ワイヤレスＬＡＮインターフェース１９、バス２４を介して、ＣＰＵ１４に送信される。ＣＰＵ１４は、受信したデータに応じて、電波の到達距離を変更する。また、ＬＡＮ５０に接続されている端末装置３５，３６も同様に、電波の到達距離の設定入力が可能である。コネクタ２１は、端末装置３５，３６から、電波の到達距離設定に関するデータを受信する。受信されたデータは、ＬＡＮインターフェース２０、バス２４を介して、ＣＰＵ１４に送信される。ＣＰＵ１４は、受信したデータに応じて、電波の到達距離を変更する。
【００３７】
また、ＣＰＵ１４は、電源投入時、キー１２から入力されるパスワードとＨＤＤ１６に予め記憶されているパスワードとを比較する。ＨＤＤ１６に予め記憶されているパスワードは、キー１２又は端末装置３１〜３６から予め設定入力しておく。ＣＰＵ１４は、パスワードが一致した場合、データの送受信ができるように処理を進める。パスワードが一致しない場合は、処理を進めず、パスワード入力の状態を維持する。なお、電波の到達距離の設定と同様に、端末装置３１〜３６からもパスワード入力が可能である。
【００３８】
以上のポータブルサーバ１０をＡＣコンセントのない部屋に持ち運び、端末装置３１〜３４とネットワークを構築するとする。
電源が投入されると、ポータブルサーバ１０の内部回路には、バッテリ２３の電源が供給される。ポータブルサーバ１０は、パスワード入力を受け付ける。パスワードは、キー１２から又は端末装置３１〜３４から入力される。ＣＰＵ１４は、入力されたパスワードがＨＤＤ１６に予め記憶されているパスワードと一致しない場合、端末装置３１〜３４とデータの送受信を行う処理に進まず、パスワード入力の状態を維持する。ＨＤＤ１６に予め記憶されているパスワードと一致する場合、ＣＰＵ１４は、端末装置３１〜３４とデータの送受信を行う処理に進む。
【００３９】
ポータブルサーバ１０は、キー１２又は端末装置３１〜３６から電波の到達距離の設定を受け付ける。ここでは、電波が部屋の中だけに到達するよう設定される。
【００４０】
ポータブルサーバ１０は、部屋の中の端末装置３１〜３４とデータの送受信を行う。データの送受信によって、バッテリ２３の電力が消費され、電圧が所定の電圧に低下すると、ＣＰＵ１４は、現在の内部回路の状態をＨＤＤ１６に記憶し、バッテリ２３の内部回路への電源供給を遮断する。
【００４１】
なお、ポータブルサーバ１０と端末装置３１〜３４を持ち運んだ部屋にＡＣコンセントがあれば、ＡＣアダプタ６０を接続して使用することができる。また、ＡＣアダプタ６０を使用していて、例えば、停電などで電源が途絶えた場合、電源回路２２は、バッテリ２３の電源を内部回路に供給するよう切替える。さらに、有線のＬＡＮ５０が設置してある場合、クレイドル４０をＬＡＮ５０に接続し、このクレイドル４０にポータブルサーバ１０を装着することによって、無線機能を有さない端末装置３５，３６とのデータの送受信が可能となる。
【００４２】
このように、バッテリ２３を搭載して、内部回路に電源を供給し、端末装置３１〜３４と無線通信のデータの送受信を行うので、持ち運び先に制約されることなく、どこでもネットワークを構築できる。
【００４３】
また、ポータブルサーバ１０が、例えば、盗難に遭い第三者に使用される場合があっても、パスワード認証を行うので、記憶しているデータを不正取得されることを防止することができる。
【００４４】
また、バッテリ２３の電圧が、内部回路が誤動作する電圧に下がる前に、現状態をＨＤＤ１６に記憶して、バッテリ２３の電源を遮断するので、データの消滅を防止することができる。
【００４５】
また、ＡＣアダプタ６０を使用していて、ＡＣアダプタ６０からの電源が途絶えた場合、バッテリ２３の電源を供給することによって、データの消滅を防止することができる。
【００４６】
さらに、有線のＬＡＮ５０と接続可能としたことにより、無線機能を有さない端末装置３５，３６ともデータの共有を図ることができる。
このようなポータブルサーバ１０は、例えば、応接室のようなネットワークケーブルが配設されていない場所で会議する場合に使用できるほか、会議の休憩中にその場にいる端末装置３１〜３４の所持者が皆でゲームをすることができる。
【００４７】
なお、ポータブルサーバ１０のワイヤレスＬＡＮインターフェース１９は、ポータブルサーバ同士間でも無線ＬＡＮでデータの送受信を行うことができる。図７は、ネットワークを構築したポータブルサーバ同士のデータの送受信を示す図である。図７では、ポータブルサーバ１０は、端末装置３１〜３４と１つのネットワークを構築している。ポータブルサーバ１０ａは、端末装置３１ａ〜３４ａと１つのネットワークを構築している。ポータブルサーバ１０ｂは、端末装置３１ｂ〜３４ｂと１つのネットワークを構築している。
【００４８】
ポータブルサーバ１０，１０ａ，１０ｂは互いに、データの送受信を行う。これによって、ポータブルサーバ１０，１０ａ，１０ｂが構築しているネットワークが更に１つのネットワークとなっている。
【００４９】
例えば、ポータブルサーバ１０に本州の地図データ、ポータブルサーバ１０ａに北海道の地図データ、ポータブルサーバ１０ｂに九州の地図データが記憶されている場合、３つのポータブルサーバ１０，１０ａ，１０ｂを１つのネットワークで連結することにより、端末装置３１〜３４，３１ａ〜３４ａ，３１ｂ〜３４ｂの使用者は、全国の地図を参照することができる。
【００５０】
このように、ポータブルサーバ同士でデータの送受信を行うことにより、より大きなネットワークを構築することができる。
【００５１】
【発明の効果】
以上説明したように本発明では、バッテリを搭載して電源を供給するようにし、データを端末装置と無線通信によって送受信するようにしたので、外部からの電源供給が不要となり、持ち運び先に制約されることなく、どこでもネットワークを構築することができる。
【図面の簡単な説明】
【図１】本発明のポータブルサーバの原理図である。
【図２】ポータブルサーバの使用例を示した図である。
【図３】ポータブルサーバを有線ネットワークに接続した他の使用例である。
【図４】ポータブルサーバとクレイドルの外観を示す正面図であり、（Ａ）はポータブルサーバ、（Ｂ）はクレイドルの正面図である。
【図５】ポータブルサーバのブロック構成図である。
【図６】電源回路の詳細を示す図である。
【図７】ネットワークを構築したポータブルサーバ同士のデータの送受信を示す図である。
【符号の説明】
１，１０……ポータブルサーバ、１ａ……バッテリ、１ｂ……無線通信手段、１ｃ……記憶手段、２ａ，２ｂ，３１〜３６……端末装置、１１……ＬＣＤ、１２……キー、１３……アンテナ、１４……ＣＰＵ、１５……ＲＡＭ、１６……ＨＤＤ、１７……グラフィック処理装置、１８……入力インターフェース、１９……ワイヤレスＬＡＮインターフェース、２０……ＬＡＮインターフェース、２１……コネクタ、２２……電源回路、２２ａ……保護回路、２２ｂ……充電監視回路、２２ｃ……整圧降圧回路、２３……バッテリ、４０……クレイドル、５０……ＬＡＮ、６０……ＡＣアダプタ。
【図１】
2004206340.tif 000003
【図２】
2004206340.tif 000004
【図３】
2004206340.tif 000005
【図４】
2004206340.tif 000006
【図５】
2004206340.tif 000007
【図６】
2004206340.tif 000008
【図７】
2004206340.tif 000009